(57)【特許請求の範囲】
【請求項１】
データタグをベースとするシステム間データ対話システムであって、
多くのサービスリソース情報を保存するために用いられ、前記サービスリソース情報が少なくともそれに対応するアプリケーション情報及びアドレス情報を含むサービスリソース管理システムと、
異なるアプリケーションに基づき、前記サービスリソース管理システムからそれに対応する少なくとも一つのサービスリソース情報を取得するとともに、取得したサービスリソース情報に基づきデータタグを生成するために用いられるデータタグ管理システムと、
ユーザ操作に基づき、前記データタグ管理システムからデータタグを取得し、対応するサービスリソース情報を解析して取得し、加えて、サービスリソースシステムと情報の対話を実行するために用いられるアプリケーション端末と、
多くのサービス提供サーバーを有し、各サービス提供サーバーは一つの前記サービスリソース情報に対応し、前記アプリケーション端末と情報の対話を実行して対応するサービスを提供し、さらにアプリケーション端末にサービス結果をフィードバックするために用いられるサービスリソースシステムと、
を有し、
前記データタグはバーコードであり、
前記データタグ管理システムは少なくともコード発行サーバーを有し、
前記コード発行サーバーは、異なるアプリケーションに基づき、前記サービスリソース管理システムからそれに対応する多くのサービスリソース情報を取得するとともに、取得したサービスリソース情報に基づきバーコードを生成するために用いられ、
前記データタグ管理システムはタスクサーバーを更に有し、
前記タスクサーバーは各アプリケーションに含まれる多くのタスク情報及び各タスク情報の特定の順序を保存し、
前記タスクサーバーは前記コード発行サーバーに前記タスク情報の特定の順序を提供し、前記バーコードが前記タスク情報の特定の順序を含む、
データタグをベースとするシステム間データ対話システム。
【請求項２】
前記アプリケーション端末はバーコードのデコードモジュールを有し、
前記バーコードのデコードモジュールは、前記バーコードを解析し、対応するサービスリソース情報を取得するとともに、対応するタスク情報の特定の順序情報を利用するために用いられ、
前記アプリケーション端末は、前記タスクの特定の順序に基づき、サービスリソースシステム中の対応する多くのサービス提供サーバーと情報の対話を実行する、
ことを特徴とする請求項１に記載のデータタグをベースとするシステム間データ対話システム。
【請求項３】
サービスインテグレーションシステムを更に有し、
前記サービスインテグレーションシステムは、前記サービスリソースシステムが前記アプリケーション端末にフィードバックしたサービス結果を取得するとともに、サービス結果及び当該サービス結果を生成するサービス提供サーバーの情報を保存するために用いられる、
ことを特徴とする請求項１又は２に記載のデータタグをベースとするシステム間データ対話システム。
【請求項４】
前記サービスインテグレーションシステムは、前記サービス結果を前記データタグ管理システムに更にフィードバックして、異なるアプリケーションのサービスリソース情報及びサービス結果に基づき、前記データタグ管理システムに新しいバーコードを生成させる、
ことを特徴とする請求項３に記載のデータタグをベースとするシステム間データ対話システム。
【請求項５】
多くのサービスリソース情報を保存するために用いられ、前記サービスリソース情報が少なくともそれに対応するアプリケーション情報及びアドレス情報を含むサービスリソース管理システムと、
異なるアプリケーションに基づき、前記サービスリソース管理システムからそれに対応する少なくとも一つのサービスリソース情報を取得するとともに、取得したサービスリソース情報に基づきデータタグを生成するために用いられるデータタグ管理システムと、
ユーザ操作に基づき、前記データタグ管理システムからデータタグを取得し、対応するサービスリソース情報を解析して取得し、加えて、サービスリソースシステムと情報の対話を実行するために用いられるアプリケーション端末と、
多くのサービス提供サーバーを有し、各サービス提供サーバーは一つの前記サービスリソース情報に対応し、前記アプリケーション端末と情報の対話を実行して対応するサービスを提供し、さらにアプリケーション端末にサービス結果をフィードバックするために用いられるサービスリソースシステムと、
を有する、データタグをベースとするシステム間データ対話システムの利用方法であって、
（１）前記データタグ管理システムは異なるアプリケーションに基づき、前記サービスリソース管理システムから、それに対応する少なくとも一つのサービスリソース情報を取得するとともに、取得したサービスリソース情報に基づきデータタグを生成する；
（２）前記アプリケーション端末はユーザ操作に基づき、前記データタグ管理システムからデータタグを取得し、対応するサービスリソース情報を解析して取得し、加えて、サービスリソースシステムと情報の対話を実行する；
（３）前記サービスリソースシステムは、前記アプリケーション端末と情報の対話を実行して対応するサービスを提供し、加えてアプリケーション端末にサービス結果をフィードバックする、
という手順を含み、
前記データタグはバーコードであり、前記データタグ管理システムは少なくとも一つのコード発行サーバーとタスクサーバーを有し、
前記コード発行サーバーは、異なるアプリケーションに基づき、前記サービスリソース管理システムからそれに対応する多くのサービスリソース情報を取得するとともに、取得したサービスリソース情報に基づきバーコードを生成し、
前記タスクサーバーは、各アプリケーションに含まれる多くのタスク情報及び各タスク情報の特定の順序を保存し、当該タスクサーバーは、前記コード発行サーバーに前記タスク情報の特定の順序を提供し、前記バーコードが前記タスク情報の特定の順序を含むものであり、
前記の手順（１）は具体的には、
前記コード発行サーバーは異なるアプリケーションに基づき、前記サービスリソース管理システムからそれに対応する多くのサービスリソース情報を取得するとともに、前記タスクサーバーから対応するタスク情報の特定の順序を取得して利用し、さらに取得したサービスリソース情報に基づきバーコードを生成するものであり、前記バーコードは多くのサービスリソース情報の特定の順序情報を更に含む、
データタグをベースとするシステム間データ対話システムの利用方法。
【請求項６】
前記アプリケーション端末はバーコードのデコードモジュールを含むものであって、
前記手順（２）は具体的には、
（２１）当該バーコードのデコードモジュールは前記バーコードを解析し、対応するサービスリソース情報を取得するとともに、対応するタスク情報の特定の順序情報を利用する；
（２２）当該アプリケーション端末は前記特定の順序に基づき、サービスリソースシステム中の対応する多くのサービス提供サーバーと情報の対話を実行する、
ことを特徴とする請求項５に記載のデータタグをベースとするシステム間データ対話システムの利用方法。
【請求項７】
前記対話システムは、サービスインテグレーションシステムを更に有し、（４）前記サービスインテグレーションシステムは、前記サービスリソースシステムが前記アプリケーション端末にフィードバックしたサービス結果を取得するとともに、サービス結果及び当該サービス結果を生成するサービス提供サーバーの情報を保存する、  という手順をさらに有する、
ことを特徴とする請求項５又は６に記載のデータタグをベースとするシステム間データ対話システムの利用方法。
【請求項８】
（５）前記サービスインテグレーションシステムは、前記サービス結果を前記データタグ管理システムに更にフィードバックし、前記データタグ管理システムは異なるアプリケーションのサービスリソース情報及びサービス結果に基づき、新しいバーコードを生成する、
という手順をさらに有する、
ことを特徴とする請求項７に記載のデータタグをベースとするシステム間データ対話システムの利用方法。
【発明の詳細な説明】
【技術分野】
【０００１】
本発明はコンピューター情報技術分野に関するものであり、特にネットワークベースのデータタグアプリケーション技術分野に関するものである。具体的には、データタグをベースとするシステム間データ対話プラットフォーム及び利用方法のことである。
【背景技術】
【０００２】
バーコードがデータタグとして開発された後、その情報容量の大きさ、安全性の高さ、読取率の高さ、エラー修正能力の高さ等といった特性によって、まず物流業務管理、証明書及びカード管理等の分野において広く応用されるようになった。その後、データ通信機能を具備するインテリジェント端末の普及に伴い、バーコードのクラスメディアチャンネルといった特徴とインテリジェント端末のリアルタイム接続、ウェブカメラによるバーコードの識別といった特徴を利用して、情報の取得、オンラインショッピング、商品の偽造防止、身分証明、優待券の配布等のＯＴＯ分野において新たにバーコードが応用されるようになって来た。しかし、ＯＴＯ分野（Ｏｂｊｅｃｔ-ｔｏ-Ｏｂｊｅｃｔ）における現在のバーコードの応用は主に電子商取引でのアクセスの利便性という面に偏っており、より踏み込んだ応用がなされていない。
【０００３】
一方、大規模な商業的な応用において、オンラインショッピングを利用する際には、製品情報サーバー、倉庫情報サーバー、物流情報サーバー及び決算サーバー等の多くのネットワーク装置間での情報の対話を実行することが必要であり、如何にして各種のサービスアプリケーションを一つのアプリケーションの中に容易に、且つ速く統合させることは、早急に解決されるべき問題となる。同時に、このことはタグデータの大規模な商業的な応用において極めて大きな制約ももたらしている。
【発明の概要】
【発明が解決しようとする課題】
【０００４】
本発明は、上述の従来技術における欠点を克服し、データタグを利用して、各種のサービスアプリケーションを有効に実現する便利で速い統合システムを提供し、これにより、各システム間のデータ対話が容易になり、同時にユーザの利用体験が改良されるため、タグデータをより大規模な商業で応用することができ、且つ構造がシンプルで、方法の実施形式が簡便であって、低コストを実現できるデータタグをベースとするシステム間データ対話プラットフォーム及び利用方法を提供することを目的とする。
【課題を解決するための手段】
【０００５】
上述の目的を実現するため、本発明におけるデータタグをベースとするシステム間データ対話プラットフォームは以下の構成を具備する。
【０００６】
当該データ対話プラットフォームはサービスリソース管理システム、データタグ管理システム、アプリケーション端末及びサービスリソースシステムを有する。
【０００７】
そのうち、サービスリソース管理システムは多くのサービスリソース情報を保存するために用いられ、前記サービスリソース情報は少なくともそれに対応するアプリケーション情報及びアドレス情報を含む。また、データタグ管理システムは異なるアプリケーションに基づき、前記サービスリソース管理システムからそれに対応する少なくとも一つのサービスリソース情報を取得するとともに、取得したサービスリソース情報に基づきデータタグを生成する。また、アプリケーション端末はユーザ操作に基づき、前記データタグ管理システムからデータタグを取得し、対応するサービスリソース情報を解析して取得し、加えて、サービスリソースシステムと情報の対話を実行するために用いられるものである。また、サービスリソースシステムは多くのサービス提供サーバーを含み、各サービス提供サーバーは一つの前記サービスリソース情報に対応し、前記アプリケーション端末と情報の対話を実行して対応するサービスを提供し、加えてアプリケーション端末にサービス結果をフィードバックするために用いられるものである。
【０００８】
当該データタグをベースとするシステム間データ対話プラットフォームにおいて、前記データタグはバーコードであり、前記データタグ管理システムは少なくともコード発行サーバーを含む。前記コード発行サーバーは、異なるアプリケーションに基づき、前記サービスリソース管理システムからそれに対応する多くのサービスリソース情報を取得するとともに、取得したサービスリソース情報に基づきバーコードを生成するために用いられるものである。
【０００９】
当該データタグをベースとするシステム間データ対話プラットフォームにおいて、前記データタグ管理システムはタスクサーバーを更に有し、前記タスクサーバーは各アプリケーションに含まれる多くのタスク情報及び各タスク情報の特定の順序を保存し、また、当該タスクサーバーは前記コード発行サーバーに前記タスク情報の特定の順序を提供し、前記バーコードが前記タスク情報の特定の順序を含む。
【００１０】
当該データタグをベースとするシステム間データ対話プラットフォームにおいて、前記アプリケーション端末はバーコードのデコードモジュールを有する。当該バーコードのデコードモジュールは、前記バーコードを解析し、対応するサービスリソース情報を取得するとともに、対応するタスク情報の特定の順序情報を利用するために用いられる。また、当該アプリケーション端末は前記タスクの特定の順序に基づき、サービスリソースシステム中の対応する多くのサービス提供サーバーと情報の対話を実行する。
【００１１】
当該データタグをベースとするシステム間データ対話プラットフォームは、サービスインテグレーションシステムを更に有する。前記サービスインテグレーションシステムは、前記サービスリソースシステムが前記アプリケーション端末にフィードバックしたサービス結果を取得するとともに、サービス結果及び当該サービス結果を生成するサービス提供サーバーの情報を保存するために用いられるものである。
【００１２】
当該データタグをベースとするシステム間データ対話プラットフォームにおいて、前記サービスインテグレーションシステムは、前記サービス結果を前記データタグ管理システムに更にフィードバックして、異なるアプリケーションのサービスリソース情報及びサービス結果に基づき、前記データタグ管理システムに新しいバーコードを生成させる。
【００１３】
本発明はデータタグをベースとするシステム間データ対話プラットフォームの利用方法を更に提供するものであり、前記方法は以下の手順を含む。
（１）前記データタグ管理システムは異なるアプリケーションに基づき、前記サービスリソース管理システムから、それに対応する少なくとも一つのサービスリソース情報を取得するとともに、取得したサービスリソース情報に基づきデータタグを生成する。
（２）前記アプリケーション端末はユーザ操作に基づき、前記データタグ管理システムからデータタグを取得し、対応するサービスリソース情報を解析して取得し、加えて、サービスリソースシステムと情報の対話を実行する。
（３）前記サービスリソースシステムは、前記アプリケーション端末と情報の対話を実行して対応するサービスを提供し、加えてアプリケーション端末にサービス結果をフィードバックする。
【００１４】
当該データタグをベースとするシステム間データ対話プラットフォームの利用方法において、前記データタグはバーコードであり、前記データタグ管理システムは少なくとも一つのコード発行サーバーとタスクサーバーを有する。前記コード発行サーバーは、異なるアプリケーションに基づき、前記サービスリソース管理システムからそれに対応する多くのサービスリソース情報を取得するとともに、取得したサービスリソース情報に基づきバーコードを生成する。また、前記タスクサーバーは、各アプリケーションに含まれる多くのタスク情報及び各タスク情報の特定の順序を保存し、当該タスクサーバーは、前記コード発行サーバーに前記タスク情報の特定の順序を提供し、前記バーコードが前記タスク情報の特定の順序を含む。
【００１５】
前記手順（１）は具体的には以下である。
前記コード発行サーバーは異なるアプリケーションに基づき、前記サービスリソース管理システムからそれに対応する多くのサービスリソース情報を取得するとともに、前記タスクサーバーから対応するタスク情報の特定の順序を取得して利用し、さらに取得したサービスリソース情報に基づきバーコードを生成するものであり、前記バーコードは多くのサービスリソース情報の特定の順序情報を更に含む。
【００１６】
当該データタグをベースとするシステム間データ対話プラットフォームの利用方法において、前記アプリケーション端末はバーコードのデコードモジュールを含み、前記手順（２）は具体的には以下の手順を含む。
（２１）当該バーコードのデコードモジュールは前記バーコードを解析し、対応するサービスリソース情報を取得するとともに、対応するタスク情報の特定の順序情報を利用する。
（２２）当該アプリケーション端末は前記タスクの特定の順序に基づき、サービスリソースシステム中の対応する多くのサービス提供サーバーと情報の対話を実行する。
【００１７】
当該データタグをベースとするシステム間データ対話プラットフォームの利用方法において、前記対話プラットフォームはサービスインテグレーションシステムを更に含み、前記方法は以下の手順を更に含む。
（４）前記サービスインテグレーションシステムは、前記サービスリソースシステムが前記アプリケーション端末にフィードバックしたサービス結果を取得するとともに、サービス結果及び当該サービス結果を生成するサービス提供サーバーの情報を保存する。
【００１８】
当該データタグをベースとするシステム間データ対話プラットフォームの利用方法において、前記方法は以下の手順を更に含む。
（５）前記サービスインテグレーションシステムは前記サービス結果を前記データタグ管理システムに更にフィードバックし、前記データタグ管理システムは異なるアプリケーションのサービスリソース情報及びサービス結果に基づき、新しいバーコードを生成する。
【００１９】
本発明を採用したデータタグをベースとするシステム間データ対話プラットフォームは、前記プラットフォームがサービスリソース管理システム、データタグ管理システム、アプリケーション端末及びサービスリソースシステムを有し、そのうち、データタグ管理システムが異なるアプリケーションに基づき、サービスリソース管理システムから対応するサービスリソース情報を取得するとともに、データタグを生成する。一方、アプリケーション端末は、データタグを解析し、対応するサービスリソース情報を取得した後、サービスリソースシステムと情報の対話をし、サービス結果を取得して、多くの種類のサービスアプリケーションが実現される。これにより、様々なサービスプリケーションシステムを容易に速く、且つ有効に整合することができ、各システム間のデータ対話が容易になり、同時にユーザの利用体験が改良され、これにより、データタグをより大規模な商業で応用させることができる。さらに、本発明におけるデータタグをベースとするシステム間データ対話プラットフォーム及び利用方法は、そのプラットフォームの構造がシンプルで、方法の実施形式が簡便であって、低コストを実現できるものである。
【図面の簡単な説明】
【００２０】
図１は本発明におけるデータタグをベースとするシステム間データ対話プラットフォームの利用方法のフローチャートである。
図２は本発明におけるデータタグをベースとするシステム間データ対話プラットフォームが実際の使用において同じサービス内のタスク管理を実現する構造模式図である。
図３は本発明におけるデータタグをベースとするシステム間データ対話プラットフォームが実際の使用において異なるサービス間のタスク管理を実現する構造模式図である。
【発明を実施するための形態】
【００２１】
本発明の技術的内容をより明確に理解できるよう、以下、実施例を挙げて詳細に説明する。
【００２２】
実施形態の一つにおいて、当該データタグをベースとするシステム間データ対話プラットフォームは、サービスリソース管理システム、データタグ管理システム、アプリケーション端末及びサービスリソースシステムを有する。
【００２３】
そのうち、サービスリソース管理システムは多くのサービスリソース情報を保存するために用いられ、前記サービスリソース情報は少なくともそれに対応するアプリケーション情報及びアドレス情報を含む。データタグ管理システムは異なるアプリケーションに基づき、前記サービスリソース管理システムからそれに対応する少なくとも一つのサービスリソース情報を取得するとともに、取得したサービスリソース情報に基づきデータタグを生成する。また、アプリケーション端末はユーザ操作に基づき、前記データタグ管理システムからデータタグを取得し、対応するサービスリソース情報を解析して取得し、加えて、サービスリソースシステムと情報の対話を実行するために用いられるものである。さらに、サービスリソースシステムは多くのサービス提供サーバーを有し、各サービス提供サーバーは一つの前記サービスリソース情報に対応し、前記アプリケーション端末と情報の対話を実行して対応するサービスを提供し、加えてアプリケーション端末にサービス結果をフィードバックするために用いられるものである。
【００２４】
当該実施形態で説明されるデータタグをベースとするシステム間データ対話プラットフォームの利用方法は、図１に示されるように、以下の手順を含む。
（１）前記データタグ管理システムは異なるアプリケーションに基づき、前記サービスリソース管理システムからそれに対応する少なくとも一つのサービスリソース情報を取得するとともに、取得したサービスリソース情報に基づきデータタグを生成する。
（２）前記アプリケーション端末はユーザ操作に基づき、前記データタグ管理システムからデータタグを取得し、対応するサービスリソース情報を解析して取得し、加えて、サービスリソースシステムと情報の対話を実行する。
（３）前記サービスリソースシステムは前記アプリケーション端末と情報の対話を実行して対応するサービスを提供し、加えてアプリケーション端末にサービス結果をフィードバックする。
【００２５】
好ましい実施形態において、前記データタグはバーコードであり、前記データタグ管理システムは少なくともコード発行サーバーを有し、前記コード発行サーバーは、異なるアプリケーションに基づき、前記サービスリソース管理システムからそれに対応する多くのサービスリソース情報を取得するとともに、取得したサービスリソース情報に基づきバーコードを生成する。また、前記データタグ管理システムはタスクサーバーを更に有し、前記タスクサーバーは各アプリケーションに含まれる多くのタスク情報及び各タスク情報の特定の順序を保存し、当該タスクサーバーは前記コード発行サーバーに前記タスク情報の特定の順序を提供し、前記バーコードが前記タスク情報の特定の順序を含む。
【００２６】
当該好ましい実施形態に利用される前記データタグをベースとするシステム間データ対話プラットフォームの利用方法において、その前記手順（１）が具体的には、前記コード発行サーバーは異なるアプリケーションに基づき、前記サービスリソース管理システムからそれに対応する多くのサービスリソース情報を取得するとともに、前記タスクサーバーから対応するタスク情報の特定の順序を取得して利用し、さらに取得したサービスリソース情報に基づきバーコードを生成するものであり、前記バーコードは多くのサービスリソース情報の特定の順序情報を更に含む。
【００２７】
更に好ましい実施形態では、前記アプリケーション端末はバーコードのデコードモジュールを有し、当該バーコードのデコードモジュールは前記バーコードを解析し、対応するサービスリソース情報を取得するとともに、対応するタスク情報の特定の順序情報を利用するために用いられる。また、当該アプリケーション端末は前記タスクの特定の順序に基づき、サービスリソースシステム中の対応する多くのサービス提供サーバーと情報の対話を実行する。
【００２８】
当該更に好ましい実施形態で利用される前記データタグをベースとするシステム間データ対話プラットフォームの利用方法は、前記手順（２）が具体的には以下の手順を含む。
（２１）当該バーコードのデコードモジュールは前記バーコードを解析し、対応するサービスリソース情報を取得するとともに、対応するタスク情報の特定の順序情報を利用する。
（２２）当該アプリケーション端末は前記特定の順序に基づき、サービスリソースシステム中の対応する多くのサービス提供サーバーと情報の対話を実行する。
【００２９】
更により好ましい実施形態において、当該データタグをベースとするシステム間データ対話プラットフォームは、更にサービスインテグレーションシステムを有し、前記サービスインテグレーションシステムは、前記サービスリソースシステムが前記アプリケーション端末にフィードバックしたサービス結果を取得するとともに、サービス結果及び当該サービス結果を生成するサービス提供サーバーの情報を保存するために用いられるものである。前記サービスインテグレーションシステムは前記サービス結果を前記データタグ管理システムに更にフィードバックし、異なるアプリケーションのサービスリソース情報及びサービス結果に基づき、前記データタグ管理システムに新しいバーコードを生成させる。
【００３０】
当該更により好ましい実施形態で利用されるデータタグをベースとするシステム間データ対話プラットフォームの利用方法では、更に以下の手順を含む：
（４）前記サービスインテグレーションシステムは、前記サービスリソースシステムが前記アプリケーション端末にフィードバックしたサービス結果を取得するとともに、サービス結果及び当該サービス結果を生成するサービス提供サーバーの情報を保存する。
（５）前記サービスインテグレーションシステムは、前記サービス結果を前記データタグ管理システムに更にフィードバックし、前記データタグ管理システムは異なるアプリケーションのサービスリソース情報及びサービス結果に基づき、新しいバーコードを生成する。
【００３１】
以下では二つの具体的な実施例を用いて、本発明の実際の利用について説明する。
１．ＯＴＯショッピング及び親による監督と支払（同じサービス内のタスク管理）について、そのプラットフォームを図２に示す。
１８歳未満の青少年がＯＴＯストアで商品を購入する場合には、商品が注文され購入された後に、システムは注文に対して支払われる必要があるデータタグを生成する。商品の購入者が１８歳未満であるため、親（保護者）が確認し、貨幣での支払を行う必要がある。ここで、システム（サービスリソース管理システムとデータタグ管理システム）は注文内容をデータタグの形式で親（保護者、アプリケーション端末）に送り、保護者（アプリケーション端末を通じる）にて当該注文商品を購入するか否かを判断／決定させ、購入が決定された場合には（支払プラットフォーム、サービスリソースシステム）、当該ショッピングの注文に対し貨幣での支払を行う（支払結果はサービスリソース管理システムとデータタグ管理システムにフィードバックされる）。
【００３２】
２．企業内部ＥＲＰ（異なるサービス間のタスク管理）について、そのプラットフォームを図３に示す。
企業での会議において、販売スタッフが現在の企業倉庫物品の在庫状況を取得して販売計画を作成する必要がある場合において、販売スタッフは企業の倉庫スタッフ（サービスリソース管理システムとデータタグ管理システムを通じる）に対し、倉庫スタッフ（アプリケーション端末）が相応の倉庫物品の情報を開放する必要があるといったデータタグを送信する。倉庫スタッフは販売スタッフにより送信されたデータタグの情報を取得し、許可される必要がある情報に基づき、倉庫情報の開放及び許可の操作を実行する（サービスリソースシステムを通じる）。倉庫の物品情報は倉庫スタッフにより開放、許可された後に（倉庫の物品情報はサービスリソース管理システムとデータタグ管理システムにフィードバックされる）、販売スタッフが必要とする情報として会議での使用に提供される。
【００３３】
本発明を採用したデータタグをベースとするシステム間データ対話プラットフォームは、前記プラットフォームがサービスリソース管理システム、データタグ管理システム、アプリケーション端末及びサービスリソースシステムを有し、そのうち、データタグ管理システムが異なるアプリケーションに基づき、サービスリソース管理システムから対応するサービスリソース情報を取得するとともにデータタグを生成する。一方、アプリケーション端末は、データタグを解析し、対応するサービスリソース情報を取得した後、サービスリソースシステムと情報の対話をし、サービス結果を取得して、多くの種類のサービスアプリケーションが実現される。これにより、様々なサービスプリケーションシステムを容易に速く、且つ有効に整合することができ、各システム間のデータ対話が容易になり、同時にユーザの利用体験が改良され、これにより、データタグをより大規模な商業で応用させることができる。さらに、本発明におけるデータタグをベースとするシステム間データ対話プラットフォーム及び利用方法は、そのプラットフォームの構造がシンプルで、方法の実施形式が簡便であって、低コストを実現できるものである。
【００３４】
本明細書において、本発明はその特定の実施例を参照し、説明するものであるが、本発明の精神及び範囲から逸脱することなく、各種修正及び変更を行うことができるのは言うまでもない。従って、また本明細書と図は限定ではなく、例示説明を目的とするものとみなされるべきである。
【図１】
0006403345.tif 000002
【図２】
0006403345.tif 000003
【図３】
0006403345.tif 000004